(57)【要約】【課題】装飾物を耳に貼り付けるための台座となるシートを特に耳輪の上側から下側にかけて貼り付ける場合に、上側から剥がれにくくすることを課題とする。【解決手段】耳装飾用台座シートＸとして、耳輪の少なくとも上半分に沿う湾曲した細長い形状を有するシート体１０と、前記シート体１０の前端部に連結される耳介の裏側に引っ掛ける形状を有するフック２０とを設ける。シート体１０のフック側の面には粘着層１２を形成するとともに、当該粘着層１２に対して剥離容易に形成された剥離シート３０を当該粘着層１２に貼りつけておくことが望ましい。【選択図】  図１
2014064596.tif 000002
【特許請求の範囲】
【請求項１】
耳輪の少なくとも上側半分に沿う湾曲した細長い形状を有するシート体と、
前記シート体の前端部に連結される耳介の裏側に引っ掛ける形状を有するフックと
を有する耳装飾用台座シート。
【請求項２】
前記シート体のフック側の面は粘着層が形成されるとともに、当該粘着層に対して剥離容易に形成された剥離シートが当該粘着層に貼りつけられている請求項１に記載の耳装飾用台座シート。
【請求項３】
湾曲した前記シート体の外縁及び／又は内縁に、少なくとも１以上のV字状の切れ込みが設けられる請求項１又は２に記載の耳装飾用台座シート。
【請求項４】
前記シート体の耳輪頂部に沿う位置近傍に、耳輪に引っ掛ける形状を有する補助フックが設けられた請求項１から３のいずれか１項に記載の耳装飾用台座シート。
【請求項５】
前記シート体はエラストマーにより形成されるものである請求項１から４のいずれか１項に記載の耳装飾用台座シート。
【請求項６】
前記シート体は、耳輪全体から耳垂までに沿う形状を有するものである請求項１から５のいずれか１項に記載の耳装飾用台座シート。
【請求項７】
前記シート体の耳垂に対応する位置には複数の貫通孔が設けられるものである請求項６に記載の耳装飾用台座シート。
【発明の詳細な説明】
【技術分野】
【０００１】
本発明は、装飾物を耳に固定するための台座となる耳に貼り付けるシートに関する。
【背景技術】
【０００２】
本願の出願人は下記特許文献１において、耳にビーズなどの装飾品を貼り付けるための台座となる耳垂から耳輪に至る粘着シートを提案している。また、下記特許文献２には台座となるシートに装飾品を貼りつけた粘着シートが示されている。
【先行技術文献】
【特許文献】
【０００３】
【特許文献１】特許第４５２８８７５号公報
【特許文献２】特開２００１−３７５１１号公報
【発明の概要】
【発明が解決しようとする課題】
【０００４】
ところで、このような耳に貼り付けるシート体が耳輪に長い範囲で沿うような形状である場合、装飾物やシート自体の重みで上側から剥がれてくることが多くある。また、これを防ぐために粘着材を強くすると皮膚によくない影響を与えることになる。
本発明は、このような問題に鑑み、装飾物を耳に貼り付けるための台座となるシートを特に耳輪の上側から下側にかけて貼り付ける場合に、上方から剥がれにくくすることを課題とする。
【課題を解決するための手段】
【０００５】
上記課題を解決するために、本発明は次のような構成を有する。
請求項１に記載の発明は、耳輪の少なくとも上半分に沿う湾曲した細長い形状を有するシート体と、前記シート体の前端部に連結される耳介の裏側に引っ掛ける形状を有するフックとを有する耳装飾用台座シートである。なお、シート体は耳輪に貼りつけた状態において顔側を前、後頭部側を後ろとする。
請求項２に記載の発明は、前記耳装飾用台座シートにおいて、前記シート体のフック側の面は粘着層が形成されるとともに、当該粘着層に対して剥離容易に形成された剥離シートが当該粘着層に貼りつけられているものである。
請求項３に記載の発明は、前記耳装飾用台座シートにおいて、湾曲した前記シート体の外縁及び／又は内縁に、少なくとも１以上のV字状の切れ込みが設けられるものである。
請求項４に記載の発明は、前記耳装飾用台座シートにおいて、前記シート体の耳輪頂部に沿う位置近傍に、耳輪に引っ掛ける形状を有する補助フックを有するものである。
請求項５に記載の発明は、前記耳装飾用台座シートにおいて、前記シート体はエラストマーにより形成されるものである。
請求項６に記載の発明は、前記耳装飾用台座シートにおいて、前記シート体は、耳輪から耳垂までに沿う形状を有するものである。
請求項７に記載の発明は、請求項６に記載の耳装飾用台座シートにおいて、前記シート体の耳垂に対応する位置には複数の貫通孔が設けられるものである。
【発明の効果】
【０００６】
以上のような構成により、本発明は次のような効果を奏する。
請求項１に記載の発明は、耳輪に貼り付けるシート体の上部側に位置する前端部がフックにより固定されるので、シート体において剥がれやすい上側の端部である前端部においてフックにより荷重を受けることで、シート体が上側端部から剥がれることを抑制することができる。
請求項２に記載の発明は、シート体に粘着層が設けられるとともに、剥離シートを粘着層に貼りつけておくことで、使用に際して剥離シートを剥がして粘着層を表出させて耳にシート体を貼り付けることができ、使用時に粘着剤をシート体に塗る必要なく、また、剥離シートにより収納、運搬時は、粘着層が他のものに触れて引っ付くことがない。
請求項３に記載の発明は、シート体の湾曲した外縁や内縁にV字状の切れ込みを設けることで、シート体の曲がり具合をV字状の切れ込みの角度を変えることで適宜調節することができ、多くの異なる形状の耳輪に柔軟にシート体を合わせて貼り付けることができる。
請求項４に記載の発明は、シート体の耳輪頂部に沿う位置近傍に耳輪に引っ掛ける補助フックを設けることで、耳輪に貼りつけたときに、シート体の最も高い位置に存する部分近傍が補助フックにより固定されるので、シート体が上側から剥がれることを、さらに抑制することができる。
請求項５に記載の発明は、シート体をエラストマーにより形成することで、シート体の曲がり具合を適宜調節することができるので、やはり、多くの異なる形状の耳輪に柔軟にシート体を合わせて貼り付けることができる。
請求項６に記載の発明は、シート体を耳垂にまで至らせることで耳の外周縁部全体を装飾することができる。
請求項７に記載の発明は、耳垂部分のシート体に複数の貫通孔を設けることで、ピアスホールの位置に合わせることができる貫通孔が選びやすくなり、ピアスとシート体とを併用できる確率を高めることができる。
【図面の簡単な説明】
【０００７】
【図１】（ａ）は実施形態に係る耳装飾用台座シートの斜視図であり、（ｂ）は耳装飾用台座シートの裏側から見た分解斜視図である。
【図２】実施形態に係る耳装飾用台座シートを装着した状態を示す斜視図である。
【図３】（ａ）は第一の変形例に係る耳装飾用台座シートの斜視図であり、（ｂ）は第二の変形例に係る耳装飾用台座シートの拡大斜視図である。
【発明を実施するための形態】
【０００８】
以下、本発明の実施の形態について図を用いて説明する。
図１（ａ）に本実施形態に係る耳装飾用台座シートＸの正面側からみた斜視図を示し、図１（ｂ）に耳装飾用シートＸの背面側からみた分解斜視図を示す。なお、耳装飾用台座シートＸは耳に固定したときに顔側を前方、後頭部側を後方とし、図１（ａ）においては左側が前方に該当する。また、ここで示すものは左耳用であるが、右耳用のものは対称に形成すればよいことはいうまでもない。耳装飾用台座シートＸは、シート体１０、フック２０、剥離シート３０を有する。
【０００９】
シート体１０は、薄いシリコーンゴム性の透明なシート体からなり、耳の耳輪全体から耳垂の正面部分に貼り付けることができるように耳輪から耳垂に沿った形状、大きさに形成される。なお、耳の大きさは人によって変わるので、耳装飾用台座シートＸはシート体１０の大きさが異なるものが複数種類用意される。また、シート体１０の耳輪に沿う湾曲した部分の内縁及び外縁にはＶ字状の切れ込み１１が設けられている。さらに、シート体１０の裏側の後述するフック２０に相対する面には、前面に渡って粘着層１２が形成されている。
フック２０はシリコーンゴムにより形成され、耳介の裏側の耳の付け根近傍に引っ掛けることができるように、棒体をフック状に湾曲させたような形状を有する。フック２０の上方の端部はシート体１０の上方前端に一体に固定される。フック２０とシート体１０は成型時に一体に成型してもよく、接着剤で接着することで固定してもよい。
剥離シート３０はシート体１０の平面形状と略同じ形状をした紙性のシートを耳垂に対応する部分３１と耳輪に対応する部分３２とに分断したものであり、シート体１０の粘着層１２に貼り付けられるものである。剥離シート３０の粘着層１２に貼り付けられる側は剥離剤が塗布されており、粘着層１２に対して容易に剥がすことができるようになっている。
【００１０】
次に、以上のような構成を有する耳装飾用台座シートＸの使用方法について説明する。使用者は、まず、フック２０を耳に掛け、この状態で剥離シート３０をシート体１０から剥がす。この際、シート体１０の粘着層１２が耳に着かないようにする。その後、シート体１０の上部前端側から耳輪に沿ってシート体１０を貼り付けていく。この際、シート体１０にはＶ字状の切れ込み１１が設けられ、また、シート体１０は伸縮性のあるシリコーンゴムにより形成されるので、耳輪の形状がシート体１０の形状と多少合致していなくても、適宜Ｖ字の切れ込み１１の幅を変え、シート体１０を微少量伸縮させることで、シート体１０の曲がり具合を変化させることができ、これにより柔軟に異なる耳に対してシート体１０を貼り付けることができる。また、Ｖ字状の切れ込み１１があることによって、耳輪の正面から外側にはみ出した部分があっても、その部分を容易に耳輪の側周面側に折り曲げることができる。このようにして、シート体１０を耳輪から耳垂にかけて貼り付けが終了し図２に示すような状態となったら、シート体１０の表面にビーズや宝石、造花などの装飾物を接着剤により貼り付けて耳の装飾が完了する。
なお、ここでは先にシート体１０を耳に貼り付けてから装飾物をシート体１０に貼り付ける手順を説明したが、予めシート体１０に装飾物を貼り付けておき、この状態のシート体１０を耳に貼り付けるようにしてもよい。
【００１１】
また、耳垂部分にピアスホールがあり、ピアスと本耳装飾用台座シートＸとを併用する場合、シート体１０は薄いのでピアスのピン部分を押し当てることで容易に穴を開けることができるので、耳装飾用台座シートＸを貼り付けた後に、耳垂部分のピアスホール部分にピアスのピンを上から押し当てて穴を開け、その後ピアスを固定するようにすればよい。さらに、穴を開ける作業がわずらわしい場合は、図３（ａ）に示す耳装飾用台座シートＹのように、シート体１０の耳垂部分に複数の貫通孔１３を設けておいてもよい。シート体１０はシリコーンゴムで形成されているので、貫通孔１３の位置は多少ずらすことが可能であり、いずれかの貫通孔１３がピアスホールに合致すればシート体１０に穴を新たに空けることなくピアスを耳に固定することができる。貫通孔１３の大きさは大きければピアスホールに合わせる範囲が広がる一方、装飾物を貼り付けるスペースが少なくなるので必要に応じて適宜決定すればよい。
【００１２】
さらに、上記耳装飾用台座シートＸはフック２０を設けることで、シート体１０が耳輪上部から剥がれ難い構成となっているが、これをさらに強化するために、図３（ｂ）に部分拡大図を示す耳装飾用台座シートＺのように、シート体１０の最上部近傍に耳輪に引っ掛けるための補助フック４０を設けてもよい。補助フック４０はここではシリコーンゴムにより形成され、板体をフック状に曲げた形状を有するものでありシート体１０に一体に成型されるものである。もちろん、一体に成型されるものでなく、補助フック４０を接着によりシート体１０に接着してもよい。
そして、上記実施形態では、シート体１０に粘着層を予め設けていたが、シート体１０に粘着層を設けずに、貼り付ける前に接着剤をシート体１０塗布してからシート体１０を耳に貼り付けるようにしてもよい。
また、上記実施形態ではシート体１０をシリコーンゴムにより形成しているが天然ゴム、ウレタンやスチレン系のゲルシートのような他のエラストマーで形成してもよく、また、十分に薄い素材であれば伸縮性のあまりない合成樹脂シートや紙、不織布等を用いることもできる。
【符号の説明】
【００１３】
Ｘ、Ｙ、Ｚ  耳装飾用台座シート
１０  シート体
１１  切り欠き
１２  粘着層
１３  貫通孔
２０  フック
３０  剥離シート
４０  補助フック
【図１】
2014064596.tif 000003
【図２】
2014064596.tif 000004
【図３】
2014064596.tif 000005
【手続補正書】
【提出日】平成23年11月25日(2011.11.25)
【手続補正１】
【補正対象書類名】特許請求の範囲
【補正対象項目名】請求項１
【補正方法】変更
【補正の内容】
【請求項１】
耳輪の少なくとも上側半分に沿う湾曲した細長い形状を有するシート体と、
前記シート体の上方前端部に連結される耳介の裏側に引っ掛ける形状を有するフックと
を有する耳装飾用台座シート。
【手続補正２】
【補正対象書類名】明細書
【補正対象項目名】０００５
【補正方法】変更
【補正の内容】
【０００５】
上記課題を解決するために、本発明は次のような構成を有する。
請求項１に記載の発明は、耳輪の少なくとも上半分に沿う湾曲した細長い形状を有するシート体と、前記シート体の上方前端部に連結される耳介の裏側に引っ掛ける形状を有するフックとを有する耳装飾用台座シートである。なお、シート体は耳輪に貼りつけた状態において顔側を前、後頭部側を後ろとする。
請求項２に記載の発明は、前記耳装飾用台座シートにおいて、前記シート体のフック側の面は粘着層が形成されるとともに、当該粘着層に対して剥離容易に形成された剥離シートが当該粘着層に貼りつけられているものである。
請求項３に記載の発明は、前記耳装飾用台座シートにおいて、湾曲した前記シート体の外縁及び／又は内縁に、少なくとも１以上のV字状の切れ込みが設けられるものである。
請求項４に記載の発明は、前記耳装飾用台座シートにおいて、前記シート体の耳輪頂部に沿う位置近傍に、耳輪に引っ掛ける形状を有する補助フックを有するものである。
請求項５に記載の発明は、前記耳装飾用台座シートにおいて、前記シート体はエラストマーにより形成されるものである。
請求項６に記載の発明は、前記耳装飾用台座シートにおいて、前記シート体は、耳輪から耳垂までに沿う形状を有するものである。
請求項７に記載の発明は、請求項６に記載の耳装飾用台座シートにおいて、前記シート体の耳垂に対応する位置には複数の貫通孔が設けられるものである